(57)【要約】【解決手段】  本明細書では、無線ブロードバンドクライアントデバイスの全等方感度（ＴＩＳ）を決定するシステムおよび方法の実施形態を説明する。複数のアンテナ偏光のそれぞれについて、且つ、複数のプラットフォーム配向のそれぞれについて、デバイスの埋設型無線モジュールで報告される受信信号強度指標（ＲＳＳＩ）を記録する。一の基準配向および送信アンテナの一の偏光においてモジュール感度の１点測定を実行する。モジュール感度の１点測定に対する修正としてＴＩＳを算出する。ＴＩＳを修正する修正係数は、記録された複数のＲＳＳＩの平均と、基準配向および送信アンテナの一の偏光でのＲＳＳＩとの間の差分に基づいて決まるとしてよい。【選択図】  図１
2013501457.tif 000002
【特許請求の範囲】
【請求項１】
デバイスアンテナおよび埋設型の無線モジュールを備える無線ブロードバンドクライアントデバイスの全等方感度（ＴＩＳ）を決定する方法であって、
送信アンテナの複数のアンテナ偏光のそれぞれについて、且つ、複数のプラットフォーム配向のそれぞれについて、前記無線モジュールで報告される受信信号強度指標（ＲＳＳＩ）を記録する段階と、
一の基準配向および一の偏光においてモジュール感度の１点測定を実行する段階と、
前記モジュール感度の１点測定に対する修正として前記ＴＩＳを算出する段階と
を備え、
前記ＴＩＳを修正する修正係数は、記録された複数の前記ＲＳＳＩの平均と、前記基準配向および前記偏光でのＲＳＳＩとの間の差分に基づいて決まる方法。
【請求項２】
前記一の基準配向および一の偏光においてモジュール感度の１点測定を実行する段階は、
基地局エミュレータの送信電力レベルを降圧する段階と、
パケットエラーレート（ＰＥＲ）が所定のしきい値を下回るまで、降圧させた各送信電力レベルにおいてＰＥＲを監視する段階とを有する請求項１に記載の方法。
【請求項３】
前記基準配向および前記偏光は、前記記録された複数のＲＳＳＩのうち最も高い値および前記送信アンテナの一の偏光から選択される請求項２に記載の方法。
【請求項４】
前記複数のＲＳＳＩを測定する際には一定の高い送信電力を利用し、
前記無線モジュールは、前記デバイスアンテナを介して受信した信号を分析して前記複数のＲＳＳＩを決定し、
前記ＲＳＳＩを記録する段階は、前記デバイスアンテナのゲインの変化を把握することである請求項３に記載の方法。
【請求項５】
前記ＲＳＳＩを記録する段階、前記モジュール感度の１点測定を実行する段階、および、前記ＴＩＳを算出する段階を、複数の周波数帯域のそれぞれについて繰り返し実行する段階をさらに備える請求項４に記載の方法。
【請求項６】
前記複数のＲＳＳＩおよび前記モジュール感度の１点測定に別の修正係数を適用することによって、前記複数のプラットフォーム配向の少なくとも一部について、実効等方感度（ＥＩＳ）を推定する段階をさらに備える請求項５に記載の方法。
【請求項７】
無線ブロードバンド規格に関する前記無線ブロードバンドクライアントデバイスの認可のためのＴＩＳ試験の一環として実行される請求項６に記載の方法。
【請求項８】
前記無線モジュールは、ＩＥＥＥ８０２．１６規格にしたがって動作するＷｉＭＡＸモジュールである請求項７に記載の方法。
【請求項９】
前記無線モジュールは、第三世代パートナーシッププロジェクト（３ＧＰＰ）ユニバーサル地上無線アクセスネットワーク（ＵＴＲＡＮ）ロングタームエボリューション（ＬＴＥ）規格に応じて動作するＬＴＥモジュールである請求項７に記載の方法。
【請求項１０】
前記モジュールは、第三世代（３Ｇ）高速パケットアクセス（ＨＳＰＡ）規格に応じて動作する請求項７に記載の方法。
【請求項１１】
デバイスアンテナおよび埋設型の無線モジュールを有する無線ブロードバンドクライアントデバイスの全等方感度（ＴＩＳ）を決定する試験セットアップシステムであって、
処理部とメモリ部とを備え、
送信アンテナの複数のアンテナ偏光のそれぞれについて、且つ、複数のプラットフォーム配向のそれぞれについて、前記無線モジュールで報告される受信信号強度指標（ＲＳＳＩ）を記録し、
一の基準配向および前記送信アンテナの一の偏光においてモジュール感度の１点測定を実行し、
前記モジュール感度の１点測定に対する修正として前記ＴＩＳを算出し、
前記ＴＩＳを修正する修正係数は、記録された複数の前記ＲＳＳＩの平均と、前記基準配向および前記偏光でのＲＳＳＩとの間の差分に基づいて決まる試験セットアップシステム。
【請求項１２】
前記基準配向および前記偏光において前記モジュール感度の１点測定を実行するべく、
基地局エミュレータの送信電力レベルを降圧して、
パケットエラーレート（ＰＥＲ）が所定のしきい値を下回るまで、降圧させた各送信電力レベルにおいてＰＥＲを監視する請求項１１に記載の試験セットアップシステム。
【請求項１３】
前記基準配向および前記偏光は、前記記録された複数のＲＳＳＩのうち最も高い値および前記送信アンテナの一の偏光から選択され、
前記無線モジュールは、前記デバイスアンテナを介して受信した信号を分析して前記ＲＳＳＩを決定し、
前記試験セットアップシステムは、記録すべき前記ＲＳＳＩを測定するために用いられる一定の高い送信電力を送信する基地局エミュレータを備え、
前記ＲＳＳＩを記録することは、前記デバイスアンテナのゲインの変化を把握することである請求項１１に記載の試験セットアップシステム。
【請求項１４】
さらに、前記ＲＳＳＩの記録、前記モジュール感度の１点測定の実行、および、前記ＴＩＳの算出を、複数の周波数帯域のそれぞれについて繰り返し実行する請求項１３に記載の試験セットアップシステム。
【請求項１５】
さらに、前記ＲＳＳＩおよび前記モジュール感度の１点測定に別の修正係数を適用することによって、前記複数のプラットフォーム配向の少なくとも一部について、実効等方感度（ＥＩＳ）を推定する請求項１４に記載の試験セットアップシステム。
【請求項１６】
命令を格納するコンピュータ可読格納媒体であって、
前記命令は、１以上のプロセッサが無線ブロードバンドクライアントデバイスの全等方感度（ＴＩＳ）を決定するための処理を実行するために実行され、
前記処理は、
デバイスアンテナの複数の偏光のそれぞれについて、且つ、複数のプラットフォーム配向のそれぞれについて、無線モジュールで報告される受信信号強度指標（ＲＳＳＩ）を記録する処理と、
一の基準配向および一の偏光においてモジュール感度の１点測定を実行する処理と、
前記モジュール感度の１点測定に対する修正として前記ＴＩＳを算出する処理と
を備え、
前記ＴＩＳを修正する修正係数は、記録された複数の前記ＲＳＳＩの平均と、前記基準配向および前記偏光でのＲＳＳＩとの間の差分に基づいて決まるコンピュータ可読媒体。
【発明の詳細な説明】
【技術分野】
【０００１】
実施形態は、ブロードバンド無線クライアントデバイスの放射状性能試験に関する。一部の実施形態は、標準化団体による認可のための、全等方感度（ＴＩＳ）等の放射状感度の測定に関する。一部の実施形態は、ＷｉＭＡＸフォーラムまたはＣＴＩＡ等の機関の手順に従った、ＷｉＭＡＸデバイス等のブロードバンド無線クライアントデバイスの平均放射状感度の試験に関する。一部の実施形態は、受信信号強度指標（ＲＳＳＩ）に基づくＴＩＳの導出に関する。
【背景技術】
【０００２】
現在利用されている無線ブロードバンド規格（例えば、ＷｉＭＡＸ規格、ＷＣＤＭＡ規格、３Ｇ  ＨＳＰＡ規格およびＬＴＥ規格）および新しい無線ブロードバンド規格には、操作者および／または標準化監視機関の認可を確実にする際の処理の一環として、放射状性能試験を実行するものがある。現時点において、ブロードバンド無線クライアントデバイスの放射状感度の測定は、認可試験において最も時間のかかる処理であり、大幅なコスト増の原因となる可能性があり、ブロードバンド無線クライアントデバイス（例えば、ノート型コンピュータ、ネットブック、手持ちデバイス、ドングル）を商品化するまでに時間がかかってしまう。
【０００３】
ＷｉＭＡＸフォーラムおよびＣＴＩＡ（Ｗｉｒｅｌｅｓｓ  Ａｓｓｏｃｉａｔｉｏｎ）は、例えば、ブロードバンド無線クライアントデバイスの平均放射状感度の試験を要求している。この試験は、ＴＩＳとも呼ばれ、クライアントシステム（例えば、モジュールおよびプラットフォーム）の感度を、周波数帯域毎および周波数プロフィール毎に、プラットフォームの配向をさまざまな配向に変え、アンテナ偏光を変えて、測定することを含む。この試験は、何よりもプラットフォームの配向が最多で１４４以上にも上るので、時間がかかる（例えば、周波数帯域毎、周波数プロフィール毎に約６〜７時間かかる）。ブロードバンド無線規格は世界規模で採用されており、幾つかのプロフィールは大抵カバーされており、試験時間が大幅に長くなってしまう。認可のコストは合計試験時間に直接関係があるので、ＴＩＳの測定は、無線ブロードバンドクライアントデバイスの認可を取り付けてスケジュール通りに市場に導入する際に、コストおよび時間の面において大きな影響を持つ。
【０００４】
このため、ブロードバンド無線クライアントデバイスの認可コストおよび認可試験時間を低減するシステムおよび方法が広く必要とされている。また、ブロードバンド無線クライアントデバイスのＴＩＳをより高いコスト効率で決定するシステムおよび方法が広く必要とされている。また、試験時間を法外に長時間化することなく複数の周波数帯域および規格プロフィールについて試験を利用できるようなスケーラビリティを持ちつつ、ＷｉＭＡＸデバイス、ＷＣＤＭＡデバイス、３Ｇ  ＨＳＰＡデバイスおよびＬＴＥデバイスの認可プロセスを大幅に簡略化するシステムおよび方法も必要とされている。
【図面の簡単な説明】
【０００５】
【図１】一部の実施形態に係る全等方感度（ＴＩＳ）を決定する試験セットアップシステムを示す図である。
【図２】一部の実施形態に係る実効等方感度（ＥＩＳ）および受信信号強度指標（ＲＳＳＩ）の測定結果を示す図である。
【図３】一部の実施形態に係るＥＩＳパターン、ＴＩＳの測定値および推定値、ならびに、ＲＳＳＩを示す図である。
【図４】一部の実施形態に係るＲＳＳＩパターンおよび平均ＲＳＳＩを示す図である。
【図５】一部の実施形態に係るＴＩＳを決定する手順を示す図である。
【発明を実施するための形態】
【０００６】
以下に記載する説明および図面は、当業者が実施形態を実施できるのに十分な程度まで具体的な実施形態を説明する。他の実施形態では、構造、論理、電気的構成、プロセスおよびその他の点を変更するとしてよい。一部の実施形態の一部および特徴は、他の実施形態に含まれているとしてもよく、または、他の実施形態の一部および特徴と入れ替えるとしてもよい。請求項に記載する実施形態は、請求項の可能な均等物全てを含むものである。
【０００７】
図１は、一部の実施形態に係る全等方感度（ＴＩＳ）を決定する試験セットアップシステムを示す図である。試験セットアップシステム１００は、無線ブロードバンドクライアントデバイス１０２を試験するために適切なシステムであるとしてよい。試験セットアップシステム１００は、無響室１１０、送信用ホーンアンテナ１２２、偏光（ＰＯＬ）スイッチ１２４、ＴＸ／ＲＸスイッチ１２６、基地局エミュレータ１２８、位置コントローラ１３０、および、制御コンピュータ（ＰＣ）１３２を備える。汎用インターフェースバス（ＧＰＩＢ）またはローカルエリアネットワーク（ＬＡＮ）による接続は、例えば、制御コンピュータ１３２と試験セットアップシステム１００のさまざまな構成要素との間で用いられるとしてよい。試験を実行するために、無線ブロードバンドクライアントデバイス１０２は、プラットフォームと見なされるとしてよく、１以上のデバイスアンテナ１０４が埋設されているとしてよく、埋設型無線モジュール１０６を備えるとしてよい。
【０００８】
実施形態によると、試験セットアップシステム１００は、無線ブロードバンドクライアントデバイス１０２のＴＩＳを決定するために用いられるとしてよい。このような実施形態では、埋設型無線モジュール１０６から報告される受信信号強度指標（ＲＳＳＩ）を、送信アンテナ１２２の偏光毎に、且つ、プラットフォームの配向毎に記録する。実施形態によると、モジュール感度の１点測定は、プラットフォームの一の基準配向および送信アンテナ１２２の一の偏光について実行するとしてよい。ＴＩＳは、モジュール感度の１点測定の結果に対する修正として算出されるとしてよい。ＴＩＳを修正する修正係数は、記録したＲＳＳＩ測定結果の平均と、基準配向およびある偏光におけるＲＳＳＩとの差分に応じて決まるとしてよい。この方法によれば、放射状感度を決定するための試験時間を６分の１に短縮できるとしてよい。このような実施形態をより詳細に以下で説明する。
【０００９】
一部の実施形態によると、基準配向およびある偏光で実行されたモジュール感度の１点測定は、基地局エミュレータ１２８の送信電力レベルを降圧することを含むとしてよい。送信電力レベルを降圧させて各レベルでパケットエラーレート（ＰＥＲ）を監視する。これは、ＰＥＲが所定のしきい値を下回るまで続ける。従来、この処理は、プラットフォームの配向毎、且つ、送信アンテナの偏光毎に行われていた。１つの基準配向および１つのアンテナ偏光を利用することによって、認可にかかる試験時間および試験コストが大幅に削減される。
【００１０】
一部の実施形態によると、基準配向および基準アンテナ偏光は、送信アンテナ１２２のある１つの偏光について記録されたＲＳＳＩのうち最も高い値から選択する。基地局エミュレータ１２８は、記録すべきＲＳＳＩを測定するべく、送信電力を高い値に固定するとしてよい。ＲＳＳＩの記録は、何よりも、デバイスアンテナ１０４のゲインの変化を把握することである。一部の実施形態によると、平均を計算する対象のフレームの数を多くして、および／または、複数の測定結果を用いてＲＳＳＩを監視することによって、精度を高めるとしてよい。
【００１１】
無線ブロードバンドクライアントデバイス１０２は、１以上の周波数帯域、および／または、ＷｉＭＡＸ規格プロフィール、ＷＣＤＭＡ規格プロフィール、３Ｇ  ＨＳＰＡ規格プロフィールおよびＬＴＥ規格プロフィール等の規格プロフィールに応じて動作するように構成されているとしてよい。一部の実施形態によると、ＲＳＳＩの記録、モジュール感度の１点測定の実行、および、ＴＩＳの計算は、周波数帯域毎に繰り返し行うとしてよい。周波数帯域毎に行われるのはモジュール感度の１点測定のみであるので、送信アンテナの偏光毎、且つ、プラットフォームの配向毎にモジュール感度を検索するという時間のかかる従来の検索処理が省略される。本発明の実施形態では、基地局エミュレータ１２８の送信電力レベルを降圧させること、および、偏光毎および配向毎に、ＰＥＲが所定のしきい値を下回るまで送信電力レベル毎にＰＥＲを監視することに代えて、ある１点において上記の処理を行い、他の点についてはＲＳＳＩを記録する。本発明の実施形態は、より詳細に後述する。
【００１２】
一部の実施形態によると、任意のプラットフォーム配向での実効等方感度（ＥＩＳ）を、モジュール感度の１点測定の結果およびＲＳＳＩに別の修正係数を適用することによって、推定するとしてよい。このような実施形態についてもより詳細に後述する。
【００１３】
一部の実施形態によると、埋設型無線モジュール１０６は、複数の直交サブキャリアを含む直交周波数分割多重（ＯＦＤＭ）通信信号をやり取りするように構成されているとしてよい。このようなマルチキャリア方式の実施形態の一部では、無線ブロードバンドクライアントデバイス１０２は、ワールドワイド・インターオペラビリティ・フォー・マイクロウェーブ・アクセス（ＷｉＭＡＸ）通信局等のブロードバンド無線アクセス（ＢＷＡ）ネットワーク通信局であってよい。一部の他のブロードバンドマルチキャリア方式の実施形態では、無線ブロードバンドクライアントデバイス１０２は、第三世代パートナーシッププロジェクト（３ＧＰＰ）ユニバーサル地上無線アクセスネットワーク（ＵＴＲＡＮ）ロングタームエボリューション（ＬＴＥ）通信局であってよいが、本発明の範囲はこれに限定されない。このようなブロードバンドマルチキャリア方式の実施形態によると、無線ブロードバンドクライアントデバイス１０２は、直交周波数分割多重アクセス（ＯＦＤＭＡ）法に応じて通信を行うように構成されているとしてよい。
【００１４】
一部の実施形態によると、無線ブロードバンドクライアントデバイス１０２は、米国電気電子学会（ＩＥＥＥ）規格等の特定の通信規格に応じて通信を行うように構成されているとしてよい。ＩＥＥＥ規格には、ワイヤレスメトロポリタンエリアネットワーク（ＷＭＡＮ）用のＩＥＥＥ８０２．１６−２００４規格およびＩＥＥＥ８０２．１６（ｅ）規格、ならびに、その変更版および進化版が含まれるが、本発明の範囲はこれに限定されない。一部の実施形態によると、無線ブロードバンドクライアントデバイス１０２は、ユニバーサル地上無線アクセスネットワーク（ＵＴＲＡＮ）ＬＴＥ通信規格に応じて通信を行うように構成されているとしてよい。ＩＥＥＥ８０２．１６規格に関するより詳細な内容については、「情報技術のＩＥＥＥ規格−システム間の電気通信および情報交換」−メトロポリタンエリアネットワーク−具体的要件−第１６部：「固定ブロードバンド無線アクセスシステム用の無線インターフェース」、２００５年５月、および、関連する修正内容および関連バージョンを参照されたい。ＵＴＲＡＮ  ＬＴＥ規格に関するより詳細な内容については、ＵＴＲＡＮ−ＬＴＥ用の第３世代パートナーシッププロジェクト（３ＧＰＰ）規格、第８版、２００８年３月、および、この変更版および進化版を参照されたい。
【００１５】
一部の他の実施形態によると、無線ブロードバンドクライアントデバイス１０２は、スペクトル拡散変調（例えば、直接拡散符号分割多重アクセス（ＤＳ−ＣＤＭＡ）および／または周波数ホッピング符号分割多重アクセス（ＦＨ−ＣＤＭＡ））、時分割多重（ＴＤＭ）変調、および／または、周波数分割多重（ＦＤＭ）変調等、１以上の他の変調方法を用いて通信を行うように構成されているとしてよいが、実施形態の範囲はこれに限定されない。
【００１６】
一部の実施形態によると、無線ブロードバンドクライアントデバイス１０２は、携帯情報端末（ＰＤＡ）、無線通信機能を持つラップトップコンピュータまたはポータブルコンピュータ、ウェブタブレット、無線電話、無線ヘッドセット、ポケットベル（登録商標）、インスタントメッセージデバイス、デジタルカメラ、アクセスポイント、テレビ、医療機器（例えば、心拍モニタ、血圧モニタ等）、または、情報を無線で送受信するその他のデバイスであってよい。
【００１７】
デバイスアンテナ１０４は、例えば、ダイポールアンテナ、モノポールアンテナ、パッチアンテナ、ループアンテナ、マイクロストリップアンテナ、逆Ｆアンテナ、または、ＲＦ信号の送信に適したその他の種類のアンテナを含む1以上の指向性アンテナまたは全方向性アンテナを有するとしてよい。一部の多入力多出力（ＭＩＭＯ）方式の実施形態によると、２以上のデバイスアンテナ１０４を利用するとしてよい。一部の実施形態によると、２以上のアンテナに代えて、複数の開口を持つ１つのアンテナを利用するとしてもよい。このような実施形態では、各開口を別のアンテナと見なすとしてよい。一部のＭＩＭＯ方式の実施形態によると、２以上のデバイスアンテナ１０４を、空間ダイバーシチおよびそれから得られる多様なチャネル特性を利用するべく、分離して設けるとしてよい。
【００１８】
従来、プラットフォームのＴＩＳは、配向および偏光毎に全範囲にわたる感度検索を実行することによって算出する。これは、時間がかかる処理であり、モジュールの受信電力とＰＥＲとの関係を示す曲線を繰り返し再試験することになる。しかし、配向および偏光の変化に応じて変化するのはアンテナゲインのみである。本発明の実施形態によると、アンテナゲインの変化の測定は、モジュールのＰＥＲと受信電力との関係から切り離される。このような構成は、モジュール感度の１点試験を実行しつつ、アンテナゲインの監視はＲＳＳＩ測定を利用することによって実現される。この結果をスケーリング手順によって組み合わせて、ＴＩＳを求める。このような実施形態では、ＴＩＳ試験において配向を変えると変化する唯一の量は、アンテナゲイン、または、デュアルアンテナデバイスの場合には総アンテナゲインであると認識している。このような実施形態では、プラットフォームの配向に応じたデバイスアンテナ１０４のゲインの変化の測定は、略一定である埋設型無線モジュール１０６の性能とは切り離される。
【００１９】
従来のＴＩＳ試験で最も時間がかかるのは、モジュール感度を繰り返し検索する処理である。この処理は通常、ビットエラーレート（ＢＥＲ）またはＰＥＲの基準を満たすまで、送信電力を順次低くして繰り返し検索する。モジュール感度の検索とゲイン変化の測定を切り離すことによって、試験時間を大幅に低減する。
【００２０】
一部の実施形態によると、
（１）デバイスアンテナ１０４のゲインの変化は、十分に高い一定の送信電力で、送信アンテナ１２２の両方のアンテナ偏光について、埋設型無線モジュール１０６が報告するＲＳＳＩを記録することによって得られるとしてよい。送信電力は、接続を安定化するために、デバイスアンテナ１０４のヌル点が送信アンテナ１２２を指している場合であっても、十分に高くする必要がある。ポータブルデバイスおよびモバイルデバイスで利用されるデバイスアンテナ１０４の大半をカバーするには、ヌルを３０ｄＢと仮定するのが適切であるとしてよい。
（２）モジュール感度の１点測定検索は、１つの基準位置および偏光で実行される。一部の実施形態によると、基準位置およびある偏光は、前回の走査でＲＳＳＩが最良値となった位置および偏光であるとしてよいが、これは必須ではない。
（３）１つの位置（基準位置およびある偏光）で報告されるＲＳＳＩおよびこの１つの位置における感度の測定結果に注目する。
（４）全等方感度は、ある１点の感度に対する修正として算出される。修正係数は、送信電力を一定且つ高レベルに維持する場合、１点におけるＲＳＳＩの測定値と、平均ＲＳＳＩ値との差分であるとしてよい。このような実施形態によると、ＲＳＳＩパターンは、全ＲＳＳＩパターンであり、１点における感度の測定は、ある１つの偏光のみについて実行されるとしてよい。
【００２１】
一部の実施形態に係るＲＳＳＩに基づいたＴＩＳの導出を、以下に説明する。この導出方法では、＜Ｆ＞＝∬Ｆｓｉｎ（θ）ｄθｄφは、０≦θ≦π、０≦φ≦２πの球体におけるＦのサイン重み付け定積分であり、Δ（Ｐｒｅａｍｂｌｅ−Ｄａｔａ（プリアンブル−データ））は、プリアンブル電力でＲＳＳＩが測定され、ブーストされていないデータ電力で感度が報告されていることに起因する修正である。
【表１】
2013501457.tif 000003
（５）実効等方感度（ＥＩＳ）は、ある１つの配向で無線測定された感度を表しており、１つの基準感度測定値のみから、ＴＩＳ算出と同様に適切な修正係数を適用することによって、任意のランダムな配向について推定されるとしてよい。これは以下の式で表現されているとしてよい。
【表２】
2013501457.tif 000004
この式では、逆変換を利用して求められたものと同様に、アンテナパターンと放射状感度パターンとの間の関係を、明確にしている。例を挙げる。
【表３】
2013501457.tif 000005
【００２２】
図２は、これらの実施形態のうち一部にかかるＲＳＳＩおよびＥＩＳの測定例を示す図である。図３は、これらの実施形態に係るＥＩＳパターン、ＴＩＳの測定値および推定値、および、ＲＳＳＩを示す図である。図４は、これらの実施形態の一部にかかるＲＳＳＩパターンおよび平均ＲＳＳＩを示す図である。
【００２３】
図５は、一部の実施形態に係るＴＩＳを決定する手順を示す図である。手順５００は、試験ステーション１００（図１）等の試験セットアップまたは試験ステーションによって実行されるとしてよいが、他の試験ステーションおよび試験セットアップも同様に利用し得る。
【００２４】
処理５０２は、送信アンテナ１２２（図１）の偏光毎、および、プラットフォームの配向（つまり、無線ブロードバンドクライアントデバイス１０２（図１）の配向）毎に埋設型無線モジュール１０６（図１）が報告するＲＳＳＩを記録することを含む。処理５０４では、送信アンテナ１２２のある１つの偏光および基準配向におけるモジュール感度の１点測定を実行することを含む。処理５０６では、モジュール感度の１点測定に対する修正としてＴＩＳを算出することを含む。ＴＩＳを修正する修正係数は、記録されたＲＳＳＩ測定値の平均と、基準配向およびある偏光でのＲＳＳＩとの間の差分に基づいて決まる。基準配向およびある偏光でのモジュール感度の１点測定では、基地局エミュレータ１２８（図１）の送信電力レベルを降圧して、ＰＥＲが所定のしきい値未満になるまで降圧した各送信電力レベルでのＰＥＲを監視するとしてよい。
【００２５】
一部の実施形態によると、処理５０２は、最初に基地局エミュレータ１２８と埋設型無線モジュール１０６との間の接続を１つの周波数で構築することを含むとしてよい。周波数リストは、埋設型無線モジュール１０６に格納されているとしてよく、モジュールは、接続を構築するべくアクティブである周波数を走査するとしてよい。配向を異ならせるべくプラットフォームを回転させるとしてよく、ＲＳＳＩ値は、送信アンテナ１２２の偏光毎に測定するとしてよい（例えば、水平偏光信号について１回測定、垂直偏光信号について１回測定）。これらのＲＳＳＩ値は、ＧＰＩＢまたはＬＡＮ接続を介して基地局エミュレータ１２８にある制御ソフトウェアに転送されるとしてよい。これらの実施形態では、送信アンテナ１２２は、双方向リンクでＲＳＳＩを含む信号をプラットフォームから受信するように構成されているとしてよい。これらの実施形態によると、試験セットアップシステム１００は、ＴＩＳの決定に関してさまざまな処理を実行するべく、制御コンピュータ１３２内に処理部およびメモリ部を有するとしてよい。これらの実施形態の一部は、コンピュータ可読媒体に格納されている命令として実現されるとしてよい。
【００２６】
一部の実施形態によると、配向は、仰角に０度から１８０度の範囲内、方位角に０度から３６０度の範囲内で変化させ、変化幅は３０度から５度の範囲内とする。一部の実施形態によると、３０度の走査を利用するとしてよいが、これは必須ではない。図１に矢印で示すように、仰角は、垂直軸を中心とした回転と定義されるとしてよく、方位角は、水平軸を中心とした回転と定義されるとしてよい。
【００２７】
実施形態は、ハードウェア、ファームウェアおよびソフトウェアのいずれか、または、これらの組み合わせで実現するとしてよい。実施形態は、コンピュータ可読媒体に格納されている命令であって、少なくとも１つのプロセッサによって読み出されて実行されると本明細書に記載されている処理を実行する命令として実現されるとしてもよい。コンピュータ可読媒体は、機械（例えば、コンピュータ）が読み出し可能な形式で格納する任意の機構を含むとしてよい。例えば、コンピュータ可読媒体は、リードオンリーメモリ（ＲＯＭ）、ランダムアクセスメモリ（ＲＡＭ）、磁気ディスク格納媒体、光格納媒体、フラッシュメモリデバイス、および、その他の格納デバイスおよび格納媒体を含むとしてよい。
【００２８】
要約書は、技術開示内容の本質および要点を理解しやすいように要約書の提出を要求する米国施行規則セクション１．７２（ｂ）を遵守して提出するものである。要約書は、請求項の範囲または意味を限定または解釈するために用いられるものではないという理解の下提出している。以下に記載する請求項は、詳細な説明に組み込まれるものであり、各請求項は別個の実施形態として成立する。
【図１】
2013501457.tif 000006
【図２】
2013501457.tif 000007
【図３】
2013501457.tif 000008
【図４】
2013501457.tif 000009
【図５】
2013501457.tif 000010
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
デバイスアンテナおよび埋設型の無線モジュールを備える無線ブロードバンドクライアントデバイスの全等方感度（ＴＩＳ）を決定する方法であって、
送信アンテナの複数のアンテナ偏光のそれぞれについて、且つ、複数のプラットフォーム配向のそれぞれについて、前記無線モジュールで報告される受信信号強度指標（ＲＳＳＩ）を記録する段階と、
一の基準配向および一の偏光においてモジュール感度の１点測定を実行する段階と、
前記モジュール感度の１点測定に対する修正として前記ＴＩＳを算出する段階と
を備え、
前記ＴＩＳを修正する修正係数は、記録された複数の前記ＲＳＳＩの平均と、前記基準配向および前記偏光でのＲＳＳＩとの間の差分に基づいて決まる方法。
【請求項２】
前記一の基準配向および一の偏光においてモジュール感度の１点測定を実行する段階は、
基地局エミュレータの送信電力レベルを降圧する段階と、
パケットエラーレート（ＰＥＲ）が所定のしきい値を下回るまで、降圧させた各送信電力レベルにおいてＰＥＲを監視する段階とを有する請求項１に記載の方法。
【請求項３】
前記基準配向および前記偏光は、前記記録された複数のＲＳＳＩのうち最も高い値および前記送信アンテナの一の偏光から選択される請求項２に記載の方法。
【請求項４】
前記複数のＲＳＳＩを測定する際には一定の高い送信電力を利用し、
前記無線モジュールは、前記デバイスアンテナを介して受信した信号を分析して前記複数のＲＳＳＩを決定し、
前記ＲＳＳＩを記録する段階は、前記デバイスアンテナのゲインの変化を把握することである請求項３に記載の方法。
【請求項５】
前記ＲＳＳＩを記録する段階、前記モジュール感度の１点測定を実行する段階、および、前記ＴＩＳを算出する段階を、複数の周波数帯域のそれぞれについて繰り返し実行する段階をさらに備える請求項４に記載の方法。
【請求項６】
前記複数のＲＳＳＩおよび前記モジュール感度の１点測定に別の修正係数を適用することによって、前記複数のプラットフォーム配向の少なくとも一部について、実効等方感度（ＥＩＳ）を推定する段階をさらに備える請求項５に記載の方法。
【請求項７】
無線ブロードバンド規格に関する前記無線ブロードバンドクライアントデバイスの認可のためのＴＩＳ試験の一環として実行される請求項６に記載の方法。
【請求項８】
前記無線モジュールは、ＩＥＥＥ８０２．１６規格にしたがって動作するＷｉＭＡＸモジュールである請求項７に記載の方法。
【請求項９】
前記無線モジュールは、第三世代パートナーシッププロジェクト（３ＧＰＰ）ユニバーサル地上無線アクセスネットワーク（ＵＴＲＡＮ）ロングタームエボリューション（ＬＴＥ）規格に応じて動作するＬＴＥモジュールである請求項７に記載の方法。
【請求項１０】
前記モジュールは、第三世代（３Ｇ）高速パケットアクセス（ＨＳＰＡ）規格に応じて動作する請求項７に記載の方法。
【請求項１１】
デバイスアンテナおよび埋設型の無線モジュールを有する無線ブロードバンドクライアントデバイスの全等方感度（ＴＩＳ）を決定する試験セットアップシステムであって、
処理部とメモリ部とを備え、
送信アンテナの複数のアンテナ偏光のそれぞれについて、且つ、複数のプラットフォーム配向のそれぞれについて、前記無線モジュールで報告される受信信号強度指標（ＲＳＳＩ）を記録し、
一の基準配向および前記送信アンテナの一の偏光においてモジュール感度の１点測定を実行し、
前記モジュール感度の１点測定に対する修正として前記ＴＩＳを算出し、
前記ＴＩＳを修正する修正係数は、記録された複数の前記ＲＳＳＩの平均と、前記基準配向および前記偏光でのＲＳＳＩとの間の差分に基づいて決まる試験セットアップシステム。
【請求項１２】
前記基準配向および前記偏光において前記モジュール感度の１点測定を実行するべく、
基地局エミュレータの送信電力レベルを降圧して、
パケットエラーレート（ＰＥＲ）が所定のしきい値を下回るまで、降圧させた各送信電力レベルにおいてＰＥＲを監視する請求項１１に記載の試験セットアップシステム。
【請求項１３】
前記基準配向および前記偏光は、前記記録された複数のＲＳＳＩのうち最も高い値および前記送信アンテナの一の偏光から選択され、
前記無線モジュールは、前記デバイスアンテナを介して受信した信号を分析して前記ＲＳＳＩを決定し、
前記試験セットアップシステムは、記録すべき前記ＲＳＳＩを測定するために用いられる一定の高い送信電力を送信する基地局エミュレータを備え、
前記ＲＳＳＩを記録することは、前記デバイスアンテナのゲインの変化を把握することである請求項１１に記載の試験セットアップシステム。
【請求項１４】
さらに、前記ＲＳＳＩの記録、前記モジュール感度の１点測定の実行、および、前記ＴＩＳの算出を、複数の周波数帯域のそれぞれについて繰り返し実行する請求項１３に記載の試験セットアップシステム。
【請求項１５】
さらに、前記ＲＳＳＩおよび前記モジュール感度の１点測定に別の修正係数を適用することによって、前記複数のプラットフォーム配向の少なくとも一部について、実効等方感度（ＥＩＳ）を推定する請求項１４に記載の試験セットアップシステム。
【請求項１６】
コンピュータに命令を実行させるプログラムであって、
前記プログラムは、１以上のプロセッサが無線ブロードバンドクライアントデバイスの全等方感度（ＴＩＳ）を決定するための処理を実行するために実行され、
前記処理は、
デバイスアンテナの複数の偏光のそれぞれについて、且つ、複数のプラットフォーム配向のそれぞれについて、無線モジュールで報告される受信信号強度指標（ＲＳＳＩ）を記録する処理と、
一の基準配向および一の偏光においてモジュール感度の１点測定を実行する処理と、
前記モジュール感度の１点測定に対する修正として前記ＴＩＳを算出する処理と
を備え、
前記ＴＩＳを修正する修正係数は、記録された複数の前記ＲＳＳＩの平均と、前記基準配向および前記偏光でのＲＳＳＩとの間の差分に基づいて決まるプログラム。
【国際調査報告】
2013501457.tif 000011
2013501457.tif 000012